(57)【要約】【課題】仕切り用の衝立を有効利用し、ＯＡ機器類へのケーブルの取り廻しを容易とするとともにオフィス景観をよくすることを課題とする。【解決手段】少なくとも一方のポール５が脚３に支持される前後一対のポール５，５が所定の間隔を保って固定された左右の支柱体７，７と、これら左右の支柱体７，７間上端部および中間部を結合する梁部材８，８と、左右の支柱体７，７間に前後方向に所定間隔の通線用空間部１０を有せしめて取り付けられた前後のパネル９，９とを備え、前記梁部材８，８はその長手方向に各種機器類を取り付けるための係合縁８ｂを有していることを特徴とする。【選択図】　図１
2004136008.tif 000002
【特許請求の範囲】
【請求項１】
少なくとも一方のポールが脚に支持される前後一対のポールが所定の間隔を保って固定されてなる左右の支柱体と、これら左右の支柱体間上端部および中間部を結合する梁部材と、左右の支柱体間に前後方向に所定間隔の通線用空間部を有せしめて取り付けられた前後のパネルからなる衝立とを備え、前記梁部材はその長手方向に各種機器類を取り付けるための係合縁を有していることを特徴とするデスク配線機構。
【請求項２】
前記梁部材と前記パネルとの間に通線用間隙を有している請求項１記載のデスク配線機構。
【請求項３】
前記パネルは、その表面長手方向に複数条の凹溝を有し、これら凹溝の開口縁が断面フック状をなす係止部に形成されていて各種機器類を着脱可能とされている請求項１または２記載のデスク配線機構。
【請求項４】
前記左右の支柱体の少なくとも一方が建屋の天井部に至る高さとされ、その支柱体を構成する一対のポールの外側面上下方向にカバー係合部が設けられており、このカバー係合部に筒体を半割りした形態の通線用カバーの両側縁が着脱可能に取り付けられ、該カバー内に天井部からのケーブルを挿通して前記衝立のパネル間の通線用空間部へ導く通線路とされている請求項１〜３のいずれか１項記載のデスク配線機構。
【請求項５】
前記脚を片側一対として設け、これら脚に前記支柱体の前後のポールの下部を挿着して立設し、前後の脚の左右間に天板を取り付けて対面型デスクとし、これらデスクの天板の衝き合わせ端間に前記パネル間の通線用空間部に対応する通線用間隙を設け、前記パネルが対向デスク間を仕切る衝立とされている請求項１〜４のいずれか１項記載のデスク配線機構。
【発明の詳細な説明】
【０００１】
【発明の属する技術分野】
本発明はデスク配線機構に係り、特に組み替え自在なデスクシステムに適用して最適なデスク配線機構に関する。
【０００２】
【従来の技術】
近時、オフィスにおいてはＯＡ機器の普及が目ざましく、就務用のデスクや会議用のテーブルなどにパソコンやディスプレイを設置して使用する形態が一般化されている。
【０００３】
特にデスクにおいてＯＡ機器の使用が増えると、それに伴ってＯＡ機器に付帯する各種機器類も数多く使用されるようになり、そのため配線用のケーブルの量も当然ながら増え、デスクの周辺にケーブルが錯綜してオフィスの景観が著しく損われることになる。
【０００４】
そこで従来では、デスク天板の下面や、対面するデスク間にデスクとは別体の通線専用のボックスを設置してその内部にケーブルを通すようにし、外部にケーブルが露出しないようにする手段がとられている（特許文献１参照）。
【０００５】
またオフィスのフロワの下に配線用空間部を設けるようにしてケーブルを床下からデスクに導くようにした床下配線構造とする手段もとられている。
【０００６】
【特許文献１】
特開２０００−１７４４５３号公報
【０００７】
【発明が解決しようとする課題】
しかるに上記特許文献１に記載のように、専用の配線用ボックスを対向するデスク間に設置するものでは、デスクを含みオフィスの占有面積が増大し、オフィスの利用効率が低下するとともに、配線用ボックスが対面デスクの間にデスク天板と同一面状をなして設置されるので、配線用ボックスからＯＡ機器へのケーブルの挿入、引き出し操作がきわめて面倒であり、加えてケーブルは依然として相当量が周辺に露出することは避け難い。
【０００８】
一方、床下配線構造によるものでは、建屋自体を大幅に改造することが必要となり、ＯＡ化のためのコストが高くなって容易に実施することが難しいばかりでなく、床下から引き出されるケーブルをデスクの上面に導かなければならないため、その間のケーブルがデスク下に露出し、仮にケーブルに化粧用カバーを付設したとしても足下の邪魔になることは否めない。
【０００９】
本発明は、通線専用のボックスを設置することなくＯＡ機器へのケーブルが外部に露出せずに処理することができるデスク配線機構を提供することであり、また、建屋の天井部からのケーブルを景観を損うことなくＯＡ機器に導くことが容易にでき、その機構の一部である衝立を各種機器類の支持基体として提供することができ、多様なレイアウトにも容易に対応することができるデスク配線機構を提供することにある。
【００１０】
【課題を解決するための手段】
上記課題を解決するための手段として、請求項１に記載の発明は、少なくとも一方のポールが脚に支持される前後一対のポールが所定の間隔を保って固定されてなる左右の支柱体と、これら左右の支柱体間上端部および中間部を結合する梁部材と、左右の支柱体間に前後方向に所定間隔の通線用空間部を有せしめて取り付けられた前後のパネルからなる衝立とを備え、前記梁部材はその長手方向に各種機器類を取り付けるための係合縁を有する構成としたことにある。
【００１１】
こうしたことにより、衝立の前後のパネル間の通線用空間部内にケーブルを通してＯＡ機器類に導くことができるので、従来の通線用ボックスのように床面を使用する必要がなく、オフィスのスペースを有効に利用することができる。
【００１２】
なおデスクおよび衝立を横方向に列設するときは、一側の支柱体を隣位の衝立の支柱体と共用としてその両側面を使用することにより連設することができる。
【００１３】
請求項２記載の発明は、前記梁部材と前記パネルとの間に横方向に連続する通線用間隙を設けたことにある。
【００１４】
こうすることにより、前記衝立のパネル間に設けられている通線用空間部からケーブルを引き出してＯＡ機器類に接続するとき、ケーブルを任意所望の最も直近位置からケーブルを引き出すことができ、余分なケーブルを外部に露出させることがなく、オフィス景観をすっきりまとめることができる。
【００１５】
請求項３記載の発明は、衝立を構成するパネルの表面長手方向に複数条の凹溝を有し、これら凹溝の開口縁を断面フック状の係止部に形成して各種機器類を着脱可能としたことにある。
【００１６】
これによれば、パネルの表面全域をディスプレイや照明器具、その他の機器の取り付け面として使用することができるので、最も見やすいなどの最適位置を選択して強固に取り付けることができ、デスクの場合その上面を有効に使用することが可能となる。
【００１７】
請求項４記載の発明は、天井配線された構造のオフィスに適用するもので、左右の支柱体の少なくとも一方を建屋の天井部に至る高さとし、その支柱体を構成する一対のポールの外側面上下方向にカバー係合部を設け、このカバー係合部に筒体を半割りした形態の通線用カバーの両側縁を着脱可能に取り付けるようにし、このカバー内に天井部からのケーブルを挿通してパネル間の通線用空間部へ導く通線路としたことにある。
【００１８】
こうしたことにより、衝立の支柱を構成する支柱体を使用して天井部からのケーブルを衝立内の通線用空間部へ通すことができるので、ケーブルが一切外部に露出することなく配線することができ、オフィスの景観を乱すことがない。
【００１９】
請求項５記載の発明は、デスクの脚を片側一対として使用するとき、支柱体の前後のポールの下部を一対の脚にそれぞれ挿着して立設し、前後の脚の左右間に天板を取り付けて対面型デスクとし、これらデスクの天板の衝き合わせ端間に前記パネル間の通線用空間部に対応する通線用間隙を設け、前記パネルが対向デスク間を仕切る衝立としたことにある。
【００２０】
これによれば、対面者との目隠し用衝立として機能しながら通線用として機能し、加えて、パネル間の通線用空間部に連通する天板間の通線用間隙からケーブルを通して他所へ導くことができる。
【００２１】
【発明の実施の形態】
以下、本発明を図面に示す実施の形態を参照して説明する。
【００２２】
図は本発明を対向型のデスク１，１とした場合における一実施形態を示すもので、対向するデスク１，１間の上部に対面者の目隠しとなる衝立２が設けられ、このデスク１，１は、片側一対の脚３，３と、前後の脚３，３の左右間に載装される天板４，４とで構成され、向き合いで使用するデスク形態とされたものである。
【００２３】
上記左右の脚３，３間に設置される天板４，４間に前記衝立２が立設される。
【００２４】
この衝立２は、丸パイプ等からなる２本を一対とするポール５，５を結合部材６により所定の間隔を維持するように固定された左右の支柱体７，７と、これら左右の支柱体７，７の上部間および中間間に懸け渡される梁部材８，８と、左右の支柱体７，７間に垂直に取り付けられる前後のパネル９，９とが基本構成部材とされ、上記パネル９，９の背面間には所定の間隔が設けられていて、この間隔部が通線用空間部１０とされている。
【００２５】
前記対向する天板４，４の衝き合わせ端間には、前記パネル９，９間の通線用空間部１０に対応する通線用間隙１１が設けられている。
【００２６】
前記梁部材８は、図３（Ａ），（Ｂ）に形状例を示すように、アルミニウムの押し出し成形品で、その長手方向上部および下部の両側縁が長手方向中央部分８ａより若干突出する堤状に形成されおり、この部分が各種機器類を取り付けるための係合縁８ｂ，８ｂとされている。また前記中央部分８ａには複数個の通線孔１２，１２，…が長手方向に列設されている。
【００２７】
この梁部材８の支柱体７への取り付け部は、図４にその一例を示すように、支柱体７を構成するポール５，５を結合している結合部材６に上部が大径、下部が小径の左右一対の逆ダルマ孔１３，１３と、梁部材８の端部材１４の端面に形成され前記逆ダルマ孔１３，１３の小径部１３ａと同幅で下端が開放された切孔１５，１５とに、中間が前記小径部１３ａに可及的密に嵌合する小径軸部１６ａ、両端が前記逆ダルマ孔１３の大径部１３ｂを通過し得る大径軸１６ｂとされたピン１６，１６により結合されるようになっている。３１は両者を固着するボルト、３２，３３はそのボルト挿通孔である。
【００２８】
すなわち前記結合部材６の逆ダルマ孔１３，１３の大径部１３ｂ，１３ｂからピン１６，１６を挿入し、その小径軸部１６ａを逆ダルマ孔１３の小径部１３ａに落し込んで仮止めしておき、次いで梁部材８の端部材１４の切孔１５，１５をピン１６，１６の小径軸部１６ａ，１６ａに落し込んで嵌合させることにより梁部材８が支柱体７に支持されることになる。また梁部材８を持ち上げれば、切孔１５，１５がピン１６，１６から抜けて梁部材８を取り外すことができる。
【００２９】
前記パネル９は、図５（Ａ），（Ｂ）および図６に示すように、アルミニウムの押し出し成形等により形成され、その表面長手方向には複数条の凹溝１７，１７，…が形成されており、これら凹溝１７，１７，…の下縁は上方に向けて立ち上げられて断面上向きフック状の係止縁１８，１８，…とされている。このパネル９も支柱体７に対し端部の爪と孔（いずれも図示省略）との掛止により取り付けられる。
【００３０】
前記梁部材８とパネル９との取り付け位置関係として、支柱体７に取り付けられた上下の梁部材８，８とパネル９の上下端との間には通線用間隙１９，１９が形成されるように設定されており、この通線用間隙１９からパネル９，９間の通線用空間部１０にケーブルを通せるようになっている。またパネル９の両端にはパネルサイドキャップ９ａ，９ａが取り付けられている。
【００３１】
図示の実施形態における脚３は、図７、図８に示すように、所要の厚みを有し内部が通線機器を収納し得る空間とされた構造とされており、その上面が天板４を取付部材２０，２０により取り付ける天板取付面３ａとされ、上部一隅部が略４５°に斜めに削落された切欠部３ｂとされていて、一対の脚３，３を並設して向き合いのデスク１，１とするとき前記切欠部３ｂ，３ｂでＶ字状の凹部２１が形成されるようになされている。上記天板取付面３ａに天板取付部材２０を挿入支持する取付孔３ｃ，３ｃが設けられている。
【００３２】
そしてデスクとしての左右の脚３，３の凹部２１，２１に、図７に示しているように、断面Ｖ状をなし多数の通線孔２２，２２，…が開設された剛体からなる樋材２３が嵌合されて脚３，３にビス止めされ、この樋材２３の上面は相対向する天板４，４の衝き合わせ端間の通線用間隙１１に臨み、この樋材２３内を通じて横に列設されるデスクに対しケーブルを通すことができるようになっている。また前記切欠部３ｂには前記支柱体７の一方のポール５を挿入立設するためのポール挿入孔３ｄが設けられている。
【００３３】
図９、図１０は、建屋の天井部からケーブルをデスクに導く場合に対する実施形態を示すもので、一方の支柱体７を天井部近くに至る高さの支柱体７Ａとされ、その支柱体７Ａの外側面には、図１１に拡大した平面図を示すように各ポール５，５に沿う位置に内部が空洞とされたカバー係合部２４，２４が脚３の上端から支柱体７Ａの上端にかけて縦設され、このカバー係合部２４，２４の相対向する円弧状外周面に、筒体を２分割した形態の通線用カバー２５の開口縁に形成された凹溝部２６，２６が弾性的に圧嵌めされるように形成されている。
【００３４】
なおこの通線用カバー２５は、図示の例では水平断面が半円形状としたものについて示されているが、この断面形状は半円形に限らず、デザイン上適宜選択されてよい。
【００３５】
前記カバー係合部２４，２４の外面側にはその長手方向にスリット状の開口部２７，２７が形成されており、その内部にナット２８が設けられ、外部からスリット状開口部２７を通じて挿入するボルト２９をナット２８に螺挿することができるようになっていて、このボルト２９を用いて支柱体７Ａにディスプレイ、照明器具、ホワイトボード、その他所要の機材をそれらに合う取付金具を用いて取り付けることができる。
【００３６】
そして上記ボルト２９を若干緩めれば、ボルト２９、ナット２８は開口部２７内を上下にスライドして機材を任意所望の高さ位置に取り付けることができる。
【００３７】
また図示しないが、パネル９の２枚分の高さを有する支柱体７，７を用いれば、梁部材８を支柱体７，７間にパネル２組分を取り付けてパネル９を２段重ね状にした衝立とすることができる。
【００３８】
なお、デスク１を対面型でなく、単体で構成する場合は、図１３に側面図を示すように片側１基の脚３を用い、支柱体７の片方のポール５の下部を脚３に挿着し、他方のポール５は脚３外において接地片３０を介して床面に接置させるようにすればよい。
【００３９】
本発明は上記の構成であるから、オフィスのレイアウトに応じて如何様にでも組み替えて対応することができる。
【００４０】
対面型デスクの仕切りとして１段のパネル９による衝立２とする場合には、片側２基の脚３，３を用い、これらの脚３，３同士を結合するとともに２基の脚３，３の結合によりその切欠部３ａ，３ａにより形成されるＶ字状の凹部２１に樋材２３を嵌合して脚３，３に対しビス止めする。これにより左右の脚３，３は樋材２３が梁となって剛結される。
【００４１】
次に１段のパネル９に必要な高さの支柱体７，７のポール５，５の下端を片側一対ずつの脚３，３にそれぞれ挿着して立設し、次いで左右の支柱体７，７の結合部材６に上下の梁部材８，８の端部材１４を前述のようにピン１６を用いて取り付けるとともに、上下の梁部材８，８間に位置して前後のパネル９，９の各端部を支柱体７，７に取り付ける。
【００４２】
これにより前後のパネル９，９間には通線用空間部１０が形成され、また梁部材８，８とパネル９との間には通線用間隙１９，１９が形成される。
【００４３】
したがって、梁部材８の係合縁８ｂやパネル９の係止縁１８にＯＡ機器のディスプレイや照明器具等を取り付けてこれに配線するとき、前記樋材２３、パネル９，９間の通線用空間部１０、梁部材８とパネル９との間の通線用間隙１９，１９を通じてケーブルを一切外部に露出させることなく配線することができる。
【００４４】
また場合によってはパネル９，９を外し、上部の梁部材８の下面の係合縁８ａ，８ａ間の窪みを利用して直管型の蛍光灯による照明器具を下向きに取り付けて使用することも可能であり、また梁部材８の上部に棚板を取り付けることもできる。
【００４５】
一方、天井配線によるオフィスにおいて、天井部からデスク１にケーブルを導く必要のあるときは、一方の支柱体７に通線用カバー２５付きの天井近くまで至る高さの支柱体７Ａを用い、天井部からケーブル受７ａを通じて通線用カバー２５内にケーブルを通し、パネル９，９間の通線用空間部１０内にケーブルを導いて通線用間隙１９からデスク１上へ導き、ＯＡ機器類に接続して使用する。
【００４６】
なお本発明は、通常のデスクに限らず他の多用途テーブル等であっても適用することができる。また脚３は支柱体７のポール５，５を垂直に支持し得れば他の任意の形態のものであってもよい。
【００４７】
【発明の効果】
以上説明したように本発明によれば、デスクにおいて用いられる衝立内に通線用空間部を設け、この通線用空間部内にケーブルを通してＯＡ機器類に導くようにしたので、従来の通線用ボックスのように床面に設置する必要がなく、オフィスのスペースを有効に利用して配線処理を行うことができる。
【００４８】
請求項２のように衝立の梁部材とパネルとの間に通線用間隙を設けるようにすれば、パネル間の通線用空間部へのケーブルの通線を任意所望の位置で行うことができ、余分なケーブルを外部に露出させることなくＯＡ機器類に配線して使用することができる。
【００４９】
請求項３によれば、パネルの表面を利用して、ディスプレイや照明器具、その他必要とする機器の取り付け面として使用することができ、しかもその取り付け位置をパネルの横方向全域において所望の場所に取り付けることができ、別途大掛りな支持装置をデスク上に設置するような必要がなく、デスク面を広く使用することができる。
【００５０】
請求項４によれば、天井部からケーブルを導く構造のオフィスであっても、衝立の支柱体にケーブルカバー付きの天井部に至る高さのものを用いることにより、ケーブルを外部に全く露出させることなく衝立内の通線用空間部へ導くことかでき、オフィスの景観を良くすることができる。
【００５１】
請求項５のように、対面型デスクとするとき対面者との間に衝立を設置すれば、目隠し用衝立として機能しながら通線用として機能し、加えてパネル間の通線用空間部に連通する天板間の通線用間隙を通してケーブルを他所へ導くことが容易にでき、配線の自由度を増すことが可能となる。
【図面の簡単な説明】
【図１】本発明によるデスク配線機構の一実施形態を示す一部を断面とした側面図。
【図２】同、正面図。
【図３】図１、図２における梁部材を示し、（Ａ）は正面図、（Ｂ）は平面図。
【図４】梁部材の支柱体への取り付け構造の一例を示す分解斜視図。
【図５】図１、図２の衝立部分を拡大して示し、（Ａ）は断面図、（Ｂ）は一部の正面図。
【図６】図５の衝立を構成するパネルの分解斜視図。
【図７】脚と樋材との分解斜視図。
【図８】脚の斜視図。
【図９】天井部から通線する形態とした場合の側面図。
【図１０】同、正面図。
【図１１】図１０のＡ−Ａ拡大図。
【図１２】同、一部の分解図。
【図１３】対面型でないデスクの場合の脚と支柱体との関係を示す側面図。
【符号の説明】
１　デスク
２　衝立
３　脚
４　天板
５　ポール
６　結合部材
７、７Ａ　支柱体
８　梁部材
９　パネル
１０　通線用空間部
１１　通線用間隙
１６　ピン
１８　係止縁
１９　通線用間隙
２３　樋材
２４　カバー係合部
２５　通線用カバー
【図１】
2004136008.tif 000003
【図２】
2004136008.tif 000004
【図３】
2004136008.tif 000005
【図４】
2004136008.tif 000006
【図５】
2004136008.tif 000007
【図６】
2004136008.tif 000008
【図７】
2004136008.tif 000009
【図８】
2004136008.tif 000010
【図９】
2004136008.tif 000011
【図１０】
2004136008.tif 000012
【図１１】
2004136008.tif 000013
【図１２】
2004136008.tif 000014
【図１３】
2004136008.tif 000015
【手続補正書】
【提出日】平成14年10月29日(2002.10.29)
【手続補正１】
【補正対象書類名】図面
【補正対象項目名】全図
【補正方法】変更
【補正の内容】
【図１】
2004136008.tif 000016
【図２】
2004136008.tif 000017
【図３】
2004136008.tif 000018
【図４】
2004136008.tif 000019
【図５】
2004136008.tif 000020
【図６】
2004136008.tif 000021
【図７】
2004136008.tif 000022
【図８】
2004136008.tif 000023
【図９】
2004136008.tif 000024
【図１０】
2004136008.tif 000025
【図１１】
2004136008.tif 000026
【図１２】
2004136008.tif 000027
【図１３】
2004136008.tif 000028